(57)【特許請求の範囲】
【請求項１】
ケースに設けた開口の上下につまみと摺動型物を配置するとともに、これらつまみと摺動型物を前記開口を介して一体化し、該つまみをスライドすることで、その電気的出力を変化させるスライド式電子部品において、
前記つまみと前記摺動型物との間につまみと摺動型物を中立位置に自動復帰させる弾発部材を設けたことを特徴とするスライド式電子部品。
【請求項２】
前記一体化されたつまみと前記摺動型物の間の前記両部材の少なくとも一方に前記弾発部材を収納する弾発部材収納部を設け、摺動型物が中立位置から何れかの方向にスライドした際に前記弾発部材は弾発部材収納部の一端面と前記ケースの開口の一端面の間を弾発してこの弾発力により、前記摺動型物がスライドした位置から中立位置に復帰することを特徴とする請求項１記載のスライド式電子部品。
【発明の詳細な説明】
【０００１】
【発明の属する技術分野】
本発明は、スライド式電子部品に関するものである。
【０００２】
【従来の技術】
従来、スライド式電子部品は基板上に設けた導電パターン上に摺動型物に取り付けた摺動子を摺接させることでその電気的出力を変化するように構成している。そしてこの種のスライド式電子部品は、これを例えば携帯機器に取り付けるなどのために薄型化が要求されている。
【０００３】
図４は従来のスライド式電子部品の概略断面図で、同図（ａ）は概略断面図、同図（ｂ）は、同図（ａ）のＢ−Ｂ断面図である。同図に示すスライド式電子部品は、ケース１００と、取付板１１０と、摺動子１２０を取り付けた摺動型物１３０と、基板１４０と、つまみ１５０と、コイルスプリング１６０より構成されている。
【０００４】
このスライド式電子部品は、ケース１００内に摺動子１２０が取り付けられた摺動型物１３０を収納し、ケース１００に設けられた開口１０１を介して、つまみ１５０と摺動型物１３０を一体化し、この摺動型物１３０に設けられた弾発部材収納部１３１にコイルスプリング１６０を収納し、取付板１１０に基板１４０を固定し、この取付板１１０にケース１００を固定することで組み立てられる。
【０００５】
そして、つまみ１５０を中立位置（図４（ｂ）参照）から左右にスライドすると、同時に一体化された摺動型物１３０が左右にスライドし、摺動子１２０が基板１４０の図示しない導電パターン上を摺動し、その抵抗値が変化する。また、摺動型物１３０がスライドすると、摺動型物１３０の弾発部材収納部１３１に収納されているコイルスプリング１６０は、この弾発部材収納部１３１の一端面と取付板１１０に設けられた係止部１１１の間を弾発し、この弾発力によりつまみ１５０及び摺動型物１３０は中立位置に自動復帰する。
【０００６】
しかし上記構成のスライド式電子部品においては、摺動型物１３０と取付板１１０の間にコイルスプリング１６０を設けるため、このコイルスプリング１６０の高さに応じてケース１００の高さＬが高くなり、スライド式電子部品の薄型化を図ることができなかった。
【０００７】
【発明が解決しようとする課題】
本発明は上述の点に鑑みてなされたものでありその目的は、薄型化が図れるスライド式電子部品を提供することにある。
【０００８】
【課題を解決するための手段】
上記問題点を解決するため本発明は、ケースに設けた開口の上下につまみと摺動型物を配置するとともに、これらつまみと摺動型物を前記開口を介して一体化し、該つまみをスライドすることで、その電気的出力を変化させるスライド式電子部品において、つまみと摺動型物との間につまみと摺動型物を中立位置に自動復帰させる弾発部材を設けたことを特徴とする。
【０００９】
また、一体化されたつまみと摺動型物の間の両部材の少なくとも一方に弾発部材を収納する弾発部材収納部を設け、摺動型物が中立位置から何れかの方向にスライドした際に弾発部材は弾発部材収納部の一端面とケースの開口の一端面の間を弾発してこの弾発力により、前記摺動型物がスライドした位置から中立位置に復帰することが好ましい。
【００１０】
【発明の実施の形態】
以下、本発明の実施の形態を図面を参照して詳細に説明する。
図１は本発明の一実施形態にかかるスライド式電子部品の概略断面図で、同図（ａ）は概略断面図、同図（ｂ）は、同図（ａ）のＡ−Ａ断面図であり、図２はスライド式電子部品の分解斜視図である。
【００１１】
図１及び図２に示すようにこのスライド式電子部品は、取付板１０と、フレキシブル基板２０と、摺動型物３０と、摺動子４０と、ケース５０と、つまみ６０とコイルスプリング（弾発部材）７０とを具備して構成されている。以下各構成部品について説明する。
【００１２】
取付板１０は合成樹脂を略長方形状に成形して構成されており、その四隅に穴１１が設けられ、その上面の所定の位置に二つの突起１２が突出している。
【００１３】
フレキシブル基板２０は略長方形状に形成されたシート部分の表面に所望のスイッチ用の導電パターン２１、２２、２３を印刷形成し、上記取付板１０の突起１２に対応する位置に固定用穴２４が設けられている。また、フレキシブル基板２０の根元部分にはこれを外部に引き出す引き出し部２５が引き出されている。
【００１４】
摺動型物３０は合成樹脂を略長方形状に成形して構成されており、その上面にコイルスプリング７０の下部を収納する弾発部材収納部３１が設けられ、その両側にそれぞれ穴３２、３２が設けられている。また、摺動型物３０はその長手方向の一方（図２の左側）の下面に凹状の摺動子収納部３３が設けられ、この摺動子収納部３３の所定の箇所に突起３４が設けられている。
【００１５】
摺動子４０は、略長方形状の弾性金属板製であり、基部４１には小穴４２が設けられ、この基部４１の端部からはＵ字状に折り曲げられて突出する摺接部４３が設けられている。
【００１６】
ケース５０は合成樹脂成形品であり、その上面には長方形状の開口５１が設けられ、ケース５０側面の四隅の下端にはそれぞれ突起５２が設けられている。また、フレキシブル基板２０の引き出し部２５を外部に引き出すための切り欠き５３が設けられている。なお、開口５１の長さは摺動型物３０の弾発部材収納部３１の長さと略同一である（図１（ｂ）参照）。
【００１７】
つまみ６０は合成樹脂を断面が略凸状となるように形成して構成されており、上面の左右にそれぞれ操作部６１、６１が設けられ、つまみ６０の下面中央部にはコイルスプリング７０の上部を収容する摺動型物３０の弾発部材収納部３１と同一形状の弾発部材収納部６２が設けられ（図１参照）、その両側にそれぞれ突起６３、６３が下方に突出して設けられている。なお、突起６３、６３の幅は、下記に示す一体化したつまみ６０と摺動型物３０がスライドできるように開口５１の幅より若干短くなっている（図１（ａ）参照）。
【００１８】
コイルスプリング７０は、弾性金属製の線材より構成されており、その外径は摺動型物３０の弾発部材収納部３１及びつまみ６０の弾発部材収納部６１の深さとケース５０の開口５１の厚みを合せた長さよりも若干小さいものである。
【００１９】
次にこのスライド式電子部品の組立方法を説明する。まず摺動子４０を摺動型物３０の摺動子収納部３３の下面に配置し、摺動子収納部３３の小突起３４に摺動子４０の小穴４２を挿入してその先端を熱カシメすることで摺動型物３０に摺動子４０を固定する。
【００２０】
次に取付板１０の上にフレキシブル基板２０を配置し、取付板１０の突起１２をフレキシブル基板２０の固定用穴２４に挿入し、フレキシブル基板２０上面から突出した突起１２の先端を熱カシメすることで取付板１０とフレキシブル基板２０を固定する。
【００２１】
次に  摺動子４０を取り付けた摺動型物３０をケース５０内に収納し、コイルスプリング７０をケース５０の開口５１から摺動型物３０の弾発部材収納部３１に収納する。
【００２２】
次につまみ６０をケース５０の開口５１の上に配置し、つまみ６０の突起６３、６３を開口５１を介して摺動型物３０の穴３２、３２に挿入し、摺動型物３０下面から突出した突起６３、６３の先端を熱カシメすることでつまみ６０と摺動型物３０を一体に固定する。なお、コイルスプリング７０の上部は、つまみ６０の弾発部材収納部６２に収納される。このとき、収納されたコイルスプリング７０は、弾発部材収納部３１と、開口５１及び弾発部材収納部６２の両端面の間を弾発した状態で、弾発部材収納部３１、６２に収納されている。
【００２３】
次にフレキシブル基板２０を取り付けた取付板１０の上にケース５０を配置し、ケース５０に設けた四つの突起５２を取付板１０の四つの穴１１に挿入するとともに、引き出し部２５をケース５０の切り欠き５３に挿入して、突起５２の先端を熱カシメし、これによってこのスライド式電子部品の組立を完了する。
【００２４】
次にこのスライド式電子部品の動作を説明する。図３は本スライド式電子部品の動作説明図である。まず、図１（ｂ）に示すようにつまみ６０が中立位置の状態から一方の操作部６１を押圧して矢印Ａ方向にスライドさせる。なお、中立位置においては摺動子４０の一方の摺接部４３は導電パターン２３に当接しているが、他方の摺接部４３は導電パターン２１と導電パターン２２の間に位置してどちらの導電パターンにも当接していない状態である。
【００２５】
つまみ６０をスライドさせると同時に一体化された摺動型物３０も矢印Ａ方向にスライドし、図３（ａ）に示す位置まで移動する。このとき、コイルスプリング７０は、摺動型物３０の弾発部材収納部３１及びつまみ６０の弾発部材収納部６２の一端面（弾発部材収納部３１、６２の右側面）と、ケース５０の開口５１の一端面（開口５１の左側面）との間を弾発している状態である。なお、図３（ａ）に示す位置においては、図２に示す摺動子４０の一方摺接部４３は導電パターン２３に当接し、他方の摺接部４３は導電パターン２１に当接して両導電パターン間をオンしている。
【００２６】
そして、つまみ６０の一方の操作部６１への押圧を解除するとコイルスプリング７０の弾発力により、摺動型物３０及びつまみ６０が図１（ｂ）に示す中立位置まで自動復帰する。
【００２７】
また、図１（ｂ）に示す中立位置の状態から他方の操作部６１を押圧して矢印Ｂ方向にスライドさせると同時に一体化された摺動型物３０も矢印Ｂ方向にスライドし、図３（ｂ）に示す位置まで移動する。このとき、コイルスプリング７０は、摺動型物３０の弾発部材収納部３１及びつまみ６０の弾発部材収納部６２の一端面（弾発部材収納部３１、６２の左側面）と、ケース５０の開口５１の一端面（開口５１の右側面）との間を弾発している状態である。なお、図３（ｂ）に示す位置においては、図２に示す摺動子４０の一方の摺接部４３は導電パターン２３に当接し、他方の摺接部４３は導電パターン２２に当接して両導電パターン間をオンしている。
【００２８】
そして、つまみ６０の他方の操作部６１への押圧を解除するとコイルスプリング７０の弾発力により、摺動型物３０及びつまみ６０が図１（ｂ）に示す中立位置まで自動復帰する。
【００２９】
このスライド式電子部品は図１に示すように、摺動型物３０及びつまみ６０を中立位置に自動復帰させるコイルスプリング７０を摺動型物３０とケース５０とつまみ６０の厚さを合計したスペース内に設け、すなわち摺動型物３０とつまみ６０の間に設けたので、スライド式電子部品の薄型化を図ることができる。
【００３０】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、本実施形態ではコイルスプリング７０を摺動型物３０の弾発部材収納部３１及びつまみ６０の弾発部材収納部６２に収納する際、これを弾発した状態で収納しているが、これに限定されるものではなく、弾発していない状態で収納しても良い。また、弾発部材収納部は、摺動型物３０又はつまみ６０のいずれか一方に設けるだけでも良い。
【００３１】
【発明の効果】
以上詳細に説明したように本発明によれば、つまみと摺動型物との間につまみと摺動型物を中立位置に自動復帰させる弾発部材を設けたので、スライド式電子部品の薄型化を図ることができるという優れた効果を有する。
【図面の簡単な説明】
【図１】本発明の一実施形態にかかるスライド式電子部品の概略断面図で、同図（ａ）は概略断面図、同図（ｂ）は、同図（ａ）のＡ−Ａ断面図である。
【図２】スライド式電子部品の分解斜視図である。
【図３】スライド式電子部品の動作説明図である。
【図４】従来の一実施形態にかかるスライド式電子部品の概略断面図で、同図（ａ）は概略断面図、同図（ｂ）は、同図（ａ）のＢ−Ｂ断面図である。
【符号の説明】
１０  取付板
２０  フレキシブル基板
３０  摺動型物
４０  摺動子
５０  ケース
６０  つまみ
７０  コイルスプリング（弾発部材）
【図１】
0003617496.tif 000002
【図２】
0003617496.tif 000003
【図３】
0003617496.tif 000004
【図４】
0003617496.tif 000005